(57)【要約】【課題】止水板周囲に確実に設置することが可能となり、従来に比して作業効率を向上させることが可能な止水板用スライドフォームを提供することを目的とする。【解決手段】型枠１１と、この型枠１１を支持する支持フレーム１２と、この支持フレーム１２を一方のコンクリートブロック１の側壁２に沿って上昇させる上昇手段とを備えており、型枠１１の中央付近には、一方のコンクリートブロック１の側壁２の表面からはみ出す止水板３が挿通される溝部１１ａが、止水板３の延在方向に沿って形成されており、この溝部１１ａの溝幅は、止水板３の厚さと略等しくなるように設定されていることを特徴とする止水板用スライドフォーム１０。これにより、止水板に溝部を沿わせるようにして型枠を一方のコンクリートブロックの側壁に配設できる。【選択図】図１
2009209613.tif 000002
【特許請求の範囲】
【請求項１】
複数のコンクリートブロック同士を並べて構築するとともに、隣り合うコンクリートブロックの対向する側壁同士に跨るようにして止水板を埋設してダム堤体を構成する際に、隣り合う一方のコンクリートブロックの側壁の表面から、この一方のコンクリートブロックに隣接して構築される他方のコンクリートブロック側にはみ出す止水板の周囲に設置される止水板用スライドフォームであって、
型枠と、この型枠を支持する支持フレームと、この支持フレームを前記一方のコンクリートブロックの側壁に沿って上昇させる上昇手段とを備えており、
前記型枠の中央付近には、前記一方のコンクリートブロックの側壁の表面からはみ出す止水板が挿通される溝部が、前記止水板の延在方向に沿って形成されており、この溝部の溝幅は、前記止水板の厚さと略等しくなるように設定されていることを特徴とする止水板用スライドフォーム。
【請求項２】
前記型枠に形成される溝部は、前記止水板を前記一方のコンクリートブロックの側壁の垂直部に沿って埋設することによって、この止水板の延在方向に沿って垂直方向に延在していることを特徴とする請求項１に記載の止水板用スライドフォーム。
【請求項３】
前記型枠に形成される溝部は、前記止水板を前記一方のコンクリートブロックの側壁の傾斜部に沿って埋設することによって、この止水板の延在方向に沿って傾斜方向に延在していることを特徴とする請求項１に記載の止水板用スライドフォーム。
【発明の詳細な説明】
【技術分野】
【０００１】
本発明は、隣り合うコンクリートブロック間の目地に沿うようにして止水板を埋設してダム堤体を構築する際に用いられる止水板用スライドフォームに関する。
【背景技術】
【０００２】
従来より、ダム建設工事などにおいてダム堤体を構築する場合、コンクリート打設用のスライドフォームを上方に移動させながら、順次段階的にコンクリートを打設していく工法が採用されている（例えば、特許文献１参照）。
また、ダム堤体を構築する際は、複数のコンクリートブロックごとに分割して構築し、これらコンクリートブロック同士を接続することによってダム堤体が構築されている。さらに、隣り合うコンクリートブロックの内部には、これら隣り合うコンクリートブロック間の目地に沿うようにして止水板が埋設されている。
【特許文献１】特開平０８−２９６３２８号公報
【発明の開示】
【発明が解決しようとする課題】
【０００３】
ところで、上述のような止水板は、隣り合うコンクリートブロック間の目地に沿うようにして、隣り合うコンクリートブロック内部に埋設されるため、この止水板は、構築されるコンクリートブロックの角部近傍に位置していることとなる。
ところが、このようにコンクリートブロックの角部近傍に止水板が埋設されてしまうと、この止水板を避けて型枠を設置しなければならないため、このコンクリートブロックの角部近傍には、特許文献１に記載のようなスライドフォームを設置できないという問題があった。このため、木製の型枠等を止水板周囲に合わせて加工して、スライドフォームの代わりとして暫定的に用いることが行われている。
【０００４】
しかしながら、このような木製の型枠を用いるには、上述のように止水板周囲に合わせて加工しなければならず、手間である。
さらに、作業スペースとしての足場が必要になった場合、特許文献１のような金属製のスライドフォームであれば容易かつ高強度に足場を設置することができるのに対し、上述のような木製の型枠に足場を設置するには、足場の設置強度を維持するために厳重な補強を行わなければならないため、手間である。
【０００５】
本発明の課題は、止水板周囲に確実に設置することが可能となり、従来に比して作業効率を向上させることが可能な止水板用スライドフォームを提供することを目的とする。
【課題を解決するための手段】
【０００６】
以上の課題を解決するため、請求項１に記載の発明は、複数のコンクリートブロック同士を並べて構築するとともに、隣り合うコンクリートブロックの対向する側壁同士に跨るようにして止水板を埋設してダム堤体を構成する際に、隣り合う一方のコンクリートブロックの側壁の表面から、この一方のコンクリートブロックに隣接して構築される他方のコンクリートブロック側にはみ出す止水板の周囲に設置される止水板用スライドフォームであって、
型枠と、この型枠を支持する支持フレームと、この支持フレームを前記一方のコンクリートブロックの側壁に沿って上昇させる上昇手段とを備えており、
前記型枠の中央付近には、前記一方のコンクリートブロックの側壁の表面からはみ出す止水板が挿通される溝部が、前記止水板の延在方向に沿って形成されており、この溝部の溝幅は、前記止水板の厚さと略等しくなるように設定されていることを特徴とする。
【０００７】
請求項２に記載の発明は、請求項１に記載の止水板用スライドフォームにおいて、前記型枠に形成される溝部は、前記止水板を前記一方のコンクリートブロックの側壁の垂直部に沿って埋設することによって、この止水板の延在方向に沿って垂直方向に延在していることを特徴とする。
【０００８】
請求項３に記載の発明は、請求項１に記載の止水板用スライドフォームにおいて、前記型枠に形成される溝部は、前記止水板を前記一方のコンクリートブロックの側壁の傾斜部に沿って埋設することによって、この止水板の延在方向に沿って傾斜方向に延在していることを特徴とする。
【発明の効果】
【０００９】
本発明によれば、型枠の中央付近に、一方のコンクリートブロックの側壁の表面からはみ出した止水板が挿通される溝部が、止水板の延在方向に沿って形成されていることから、この止水板に溝部を沿わせるようにして型枠を一方のコンクリートブロックの側壁に配設することができるので、止水板用スライドフォームを一方のコンクリートブロックの側壁の止水板周囲に確実に設置することが可能となる。これによって、従来のような木製の型枠等を用いる必要がなくなるので、木製の型枠を加工する手間や、足場の設置強度を向上させるための補強を行う必要もなくなり、従来に比して、コンクリートブロックの構築に係る作業効率を向上させることが可能となる。
さらに、型枠を、この型枠の溝部に挿通された止水板に沿って移動させることができるので、止水板を、型枠を移動させる際のレールとしての役目を持たせることができる。これによって、型枠ひいては止水板用スライドフォームを、止水板に沿って正確に移動させることができ、止水板の周囲から位置ずれすることを防ぐことができる。
また、型枠の溝部の溝幅は、止水板の厚さと略等しくなるように設定されているので、この止水板によって溝部を塞ぐことができ、この溝部から打設されたコンクリートが溢出することを防ぐことができる。
【発明を実施するための最良の形態】
【００１０】
以下、図面を参照して本発明の実施の形態について説明する。
【００１１】
図１は、本発明の止水板用スライドフォーム１０の一実施形態を示したものである。
また、図２は、ダム堤体を構成する複数のコンクリートブロック１の一実施形態を示したものであり、図３は、隣り合うコンクリートブロック１，１同士を接続した状態を示したものである。これら隣り合うコンクリートブロック１，１には、これら隣り合うコンクリートブロック１，１間の目地に沿うようにして止水板３が埋設されている。すなわち、隣り合うコンクリートブロック１，１の対向する側壁２に、これら対向する側壁２同士に跨るようにして前記止水板３が埋設されている。
【００１２】
ここで、前記コンクリートブロック１は、図２に示すように、一定の層厚ごとにコンクリートを打設して構築される。
また、図３に示すように、前記複数のコンクリートブロック１，１のうち、一方のコンクリートブロック１を構築した後に、この一方のコンクリートブロック１に隣り合う他方のコンクリートブロック１が構築されるようになっている。
【００１３】
なお、本実施の形態においては、上述した一定の層厚ごとに打設されるコンクリート層を、打設リフトと称し、特に、既に打設された下方の打設リフトを打設済みリフト１ａと称するとともに、この打設済みリフト１ａの上部に打設される打設リフトを今回打設リフト１ｂと称する。
【００１４】
一方、前記止水板３は、前記一方のコンクリートブロック１の側壁２に、この側壁２の表面から、この一方のコンクリートブロック１に隣接して構築される前記他方のコンクリートブロック１側にはみ出すようにして埋設されるものである。
そして、上述のように、前記一方のコンクリートブロック１を構築した後に、この一方のコンクリートブロック１に隣り合う前記他方のコンクリートブロック１を構築することで、前記止水板３を、図３に示すように、これら隣り合うコンクリートブロック１，１の対向する側壁２に、これら対向する側壁２同士に跨るようにして埋設できるようになっている。
【００１５】
また、前記止水板３は、図２に示すように、前記コンクリートブロック１の外周面の近傍に沿って配設されている。したがって、この止水板３は、例えば前記側壁２の垂直部２ａに沿って垂直方向に、前記側壁２の傾斜部２ｂに沿って傾斜方向に配接されることとなる。また、水平方向に沿っても配設されている。
【００１６】
そして、この止水板３は、このように前記コンクリートブロック１の外周面の近傍に沿って配設されるとともに、上述のようにコンクリートブロック１の側壁２の表面からはみ出すように埋設されているので、構築されるコンクリートブロック１の角部近傍に位置していることとなる。
【００１７】
なお、本実施の形態の止水板３は、例えば塩化ビニル製で、弾力性を有している。ただし、これに限定されないものとする。
【００１８】
一方、本実施の形態の止水板用スライドフォーム１０は、前記一方のコンクリートブロック１の側壁２の表面から、この一方のコンクリートブロック１に隣接して構築される他方のコンクリートブロック１側にはみ出すようにして、この一方のコンクリートブロック１の側壁２に埋設される止水板３の周囲に設置されるものであり、図１に示すように、前記一方のコンクリートブロック１の側壁２に配設される型枠１１と、この型枠１１を支持する支持フレーム１２と、この支持フレーム１２を前記一方のコンクリートブロック１の側壁２に沿って上昇させる上昇手段（図示せず）とを備えている。
【００１９】
また、この止水板用スライドフォーム１０は、図示はしないが、前記止水板３が埋設されていない側壁２に設置されるスライドフォームに並設されており、このスライドフォームの型枠と、前記止水板用スライドフォーム１０の型枠１１とが隙間なく強固に連結されている。これによって、これら止水板用スライドフォーム１０と、前記止水板３が埋設されていない側壁２に設置されるスライドフォームとの間の目地からのコンクリートの溢出を防ぐことができる。
【００２０】
そして、前記支持フレーム１２は、図１に示すように、前記型枠１１が取り付けられて、この型枠１１を支持する縦横のフレーム材１２ａ，１２ｂと、これら縦横のフレーム材１２ａ，１２ｂおよび前記型枠１１を、前記コンクリートブロック１の側壁２に固定するための固定手段とを備えている。
【００２１】
前記縦フレーム材１２ａは、縦方向に長尺な鋼材であり、少なくとも２本の縦フレーム材１２ａが所定の間隔をあけて並列しており、これら縦フレーム材１２ａ間に架け渡されるようにして、これら縦フレーム材１２ａに、前記横フレーム材１２ｂが取り付けられている。
この横フレーム材１２ｂは、例えば、前記縦フレーム材１２ａの上端部と、中央部付近と、これら上端部と中央部付近との中間付近に位置するようにして、前記縦フレーム材１２ａに複数取り付けられている。なお、これら複数の横フレーム材１２ｂは、前記縦フレーム材１２ａよりも前記コンクリートブロック１の側壁２側に位置している。
【００２２】
さらに、前記型枠１１は、前記複数の横フレーム材１２ｂよりも前記コンクリートブロック１の側壁２側に位置しており、これら複数の横フレーム材１２ｂに取り付けられている。
この型枠１１は、鋼製の複数の型枠用板材を組み合わせて接続したものであり、本実施の形態においては、例えば１０枚の型枠用板材を、一方の前記縦フレーム材１２ａ側と、他方の前記縦フレーム材１２ａ側とに５枚ずつ配列されている。
【００２３】
なお、本実施の形態の型枠１１は、上述のような形態としたが、これに限られるものではなく、前記型枠用板材の枚数や一辺の長さや面積等、適宜変更可能であることは言うまでもない。
【００２４】
そして、この型枠１１の中央付近には、前記一方のコンクリートブロック１の側壁２の表面からはみ出した止水板３が挿通される溝部１１ａが、前記止水板３の延在方向に沿って形成されており、この溝部１１ａの溝幅は、前記止水板３の厚さと略等しくなるように設定されている。
すなわち、一方の前記縦フレーム材１２ａ側に配列された型枠用板材と、他方の前記縦フレーム材１２ａ側に配列された型枠用板材とは、前記止水板３の厚み分の隙間をあけて配列されていることとなる。
そして、このように前記型枠１１の溝部１１ａの溝幅は、前記止水板３の厚さと略等しくなるように設定されているので、この止水板３によって前記溝部１１ａを塞ぐことができ、この溝部１１ａから打設されたコンクリートが溢出することを防ぐことができる。
【００２５】
ここで、前記支持フレーム１２の固定手段は、図１および図４に示すように、前記縦フレーム材１２ａの上端部近傍に設けられるダミーボルト１３と、前記縦フレーム材１２ａの中央部近傍に設けられるシーボルト１４と、これらダミーボルト１３およびシーボルト１４に連結可能となっているとともに、前記コンクリートブロック１の内部に埋設されるアンカー部材１５とを備えている。
【００２６】
前記ダミーボルト１３は、前記縦フレーム材１２ａから前記型枠１１を貫通して、前記今回打設リフト１ｂの内部に突出している。そして、この突出端部に、前記アンカー部材１５が連結されている。
なお、これらダミーボルト１３とアンカー部材１５とはネジ結合によって連結されるものであり、コンクリート打設後に、前記ダミーボルトを抜き去って、これらダミーボルト１３とアンカー部材１５との結合状態を解除することによって、後工程においてシーボルト１４を挿入できる挿入孔（図示せず）を形成できるようになっている。
【００２７】
前記シーボルト１４は、前記縦フレーム材１２ａから前記型枠１１を貫通して所定寸法突出し、前記打設済みリフト１ａの、前記ダミーボルト抜き去り後に形成された挿入孔に挿入可能となっている。
さらに、このシーボルト１４は、前記アンカー部材１５とネジ結合可能となっており、このシーボルト１４と前記打設済みリフト１ａに埋設されたアンカー部材１５とをネジ結合することによって、前記止水板用スライドフォーム１０を、前記コンクリートブロック１の側壁２に固定設置できるようになっている。
【００２８】
なお、図４に示すように、前記縦フレーム材１２ａの下端部には、前記コンクリートブロック１の側壁２表面に当接するジャッキ部材１６が設けられており、このジャッキ部材１６によって、前記縦フレーム材１２ａの傾きを調整できる。これによって、構築されるコンクリートブロック１の側壁２の表面に不陸が生じない。
【００２９】
一方、前記上昇手段は、打設済みリフト１ａの上部に設置されるとともに、前記止水板用スライドフォーム１０の上端部に接続され、さらに、この止水板用スライドフォーム１０を引き上げ・移動可能なスライドフォーム移動装置となっている。
なお、この移動装置は、駆動装置や車輪等を備えることによって前記打設済みリフト１ａの上部を走行可能になっており、前記止水板用スライドフォーム１０だけでなく、その他のスライドフォームも引き上げ・移動可能となっていることが好ましい。
【００３０】
また、図４に示すように、この止水板用スライドフォーム１０には、予め、前記縦フレーム材１２ａの上端部近傍および下端部近傍に、作業員が乗って作業するための足場１７が溶接等によって強固に取り付けられている。
【００３１】
ここで、図面を参照して、前記止水板用スライドフォーム１０の上昇に係る動作について説明する。
【００３２】
まず、図４（ａ）に示すように、打設済みリフト１ａに埋設されたアンカー部材１５に対して、前記シーボルト１４をネジ結合するようにして、前記止水板用スライドフォーム１０を、前記打設済みリフト１ａに固定設置する。
【００３３】
前記ジャッキ部材１６によって、前記止水板用スライドフォーム１０の傾きを調整した後、前記型枠１１によって囲まれた前記今回打設リフト１ｂ内に、コンクリートを打設する。この時、前記止水板用スライドフォーム１０の上端部には、アンカー部材１５と結合した状態のダミーボルト１３が設けられており、このダミーボルト１３は、打設されたコンクリート内に埋設されることとなる。
【００３４】
コンクリートの固結後、前記ダミーボルト１３を抜き去って前記アンカー部材１５とのネジ結合状態を解除する。
また、前記シーボルト１４も、前記アンカー部材１５のネジ結合状態を解除して、コンクリートブロック１から剥離された状態の止水板用スライドフォーム１０を、図４（ｂ）に示すように、前記上昇手段によって所定寸法引き上げる。なお、所定寸法とは、次回のコンクリートを打設分の高さ、すなわち、次段階における今回打設リフト１ｂを示している。
【００３５】
前記止水板用スライドフォーム１０を引き上げた後、前段階において前記ダミーボルト１３を抜き去った後に形成された挿入孔に、前記シーボルト１４を挿入して前記アンカー部材１５にネジ結合して連結し、前記止水板用スライドフォーム１０を、前記打設済みリフト１ａに固定設置する。
以上のような行程を繰り返して、止水板用スライドフォーム１０を上昇させながらコンクリートを打設し、コンクリートブロック１を形成する。そして、一方のコンクリートブロック１を構築した後に、この一方のコンクリートブロック１に隣接する他方のコンクリートブロック１を構築し、これら一方および他方のコンクリートブロック１，１間に、前記止水板３を埋設する。
【００３６】
次に、前記コンクリートブロック１の側壁２の垂直部２ａおよび傾斜部２ｂにおける前記止水板用スライドフォーム１０の形態および動作について説明する。
【００３７】
ここで、前記垂直部２ａにおいて、図２および図５に示すように、前記止水板３は、この止水板３を前記垂直部２ａに沿って埋設することによって垂直方向に延在している。
また、前記止水板用スライドフォーム１０の型枠１１の溝部１１ａは、前記止水板３の延在方向に沿って形成されているので、前記止水板３の延在方向に沿って垂直方向に延在していることとなる。
【００３８】
したがって、前記垂直部２ａにおける前記止水板用スライドフォーム１０の動作は、図５に示すように、前記溝部１１ａに挿通された前記止水板３に沿って、前記型枠１１を垂直方向に上昇させるというものである。この垂直部２ａにおける、その他の動作は、上述のとおりであるため省略するものとする。
なお、この垂直部２ａにおいては、前記ダミーボルト１３の設置位置１３ａが、図５に示すように、前記止水板３の延在方向に沿って、上方に向かって推移する。
【００３９】
一方、前記傾斜部２ｂにおいて、図２および図６に示すように、前記止水板３は、この止水板３を前記傾斜部２ｂに沿って埋設することによって傾斜方向に延在している。
また、前記止水板用スライドフォーム１０の型枠１１の溝部１１ａは、前記止水板３の延在方向に沿って形成されているので、前記止水板３の延在方向に沿って傾斜方向に延在していることとなる。
【００４０】
したがって、前記傾斜部２ｂにおける前記止水板用スライドフォーム１０の動作は、図６に示すように、前記溝部１１ａに挿通された前記止水板３に沿って、前記型枠１１を傾斜方向に上昇させるというものである。この傾斜部２ｂにおける、その他の動作は、上述のとおりであるため省略するものとする。
なお、この傾斜部２ｂにおいては、前記ダミーボルト１３の設置位置１３ａが、図６に示すように、前記止水板３の延在方向に沿って、斜め上方に向かって推移する。
【００４１】
ここで、前記止水板用スライドフォーム１０の縦フレーム材１２ａは、図１に示すように、縦方向に沿って延在しているので、このように前記止水板用スライドフォーム１０を斜め上方に向かって上昇させる場合、図６に示すように、前記ダミーボルト１３の設置位置１３ａのいずれかが、前記型枠１１の範囲から外方に外れてしまう場合がある。
このような場合、前記型枠１１の範囲から外れる分のダミーボルト１３の設置位置１３ａは、前記止水板用スライドフォーム１０に隣接する他のスライドフォーム（図示せず）に形成されることとなる。すなわち、隣接するスライドフォームの型枠に、前記止水板用スライドフォーム１０のためのダミーボルト１３を設けておき、前記止水板用スライドフォーム１０が一段階上昇した際に、前記ダミーボルト１３が抜き取られた後の挿入孔に、この止水板用スライドフォーム１０を前記側壁２に設置固定するためのシーボルト１４が挿入されて、前記アンカー部材１５とネジ結合される。
【００４２】
なお、この時、前記止水板用スライドフォーム１０の型枠１１が斜め上方に移動するにつれて、この型枠１１は、傾斜の内側に向かって移動することとなるので、図示はしないが、この止水板用スライドフォーム１０と同じ高さに設けられるスライドフォームの型枠をずらしたり、型枠の幅寸法を短くしたりして、前記止水板用スライドフォーム１０の型枠１１によって前記傾斜部２ｂを確実に囲むことができるようにする。
【００４３】
なお、本実施の形態においては、前記型枠１１の範囲から外れる分のダミーボルト１３の設置位置１３ａは、前記止水板用スライドフォーム１０に隣接する他のスライドフォームに形成するとしたが、これに限られるものではない。すなわち、前記型枠１１の幅寸法を延長して、この型枠１１の範囲内に、前記ダミーボルト１３の設置位置１３ａを収めるようにしてもよい。また、これに伴って、前記縦横のフレーム材１２ａ，１２ｂの本数や長さ等も適宜変更可能であることは言うまでもない。
【００４４】
本実施の形態によれば、前記型枠１１の中央付近に、前記一方のコンクリートブロック１の側壁２の表面からはみ出した止水板３が挿通される溝部１１ａが、前記止水板３の延在方向に沿って形成されていることから、この止水板３に溝部１１ａを沿わせるようにして前記型枠１１を前記一方のコンクリートブロック１の側壁２に配設することができるので、前記止水板用スライドフォーム１０を前記一方のコンクリートブロック１の側壁２の止水板３周囲に確実に設置することが可能となる。これによって、従来のような木製の型枠等を用いる必要がなくなるので、木製の型枠を加工する手間や、足場の設置強度を向上させるための補強を行う必要もなくなり、従来に比して、コンクリートブロック１の構築に係る作業効率を向上させることが可能となる。
さらに、前記型枠１１を、この型枠１１の溝部１１ａに挿通された止水板３に沿って移動させることができるので、前記止水板３を、前記型枠１１を移動させる際のレールとしての役目を持たせることができる。これによって、前記型枠１１ひいては止水板用スライドフォーム１０を、前記止水板３に沿って正確に移動させることができ、前記止水板３の周囲から位置ずれすることを防ぐことができる。
【図面の簡単な説明】
【００４５】
【図１】本発明の実施の形態に係る止水板用スライドフォームを示す正面図である
【図２】ダム堤体を構成するコンクリートブロックを示す側断面図である。
【図３】コンクリートブロック間に止水板を設けた状態を示す拡大正面図である。
【図４】コンクリートブロックの正面から見た状態の止水板用スライドフォームの上昇動作を示す概要図であり、（ａ）は動作前、（ｂ）は動作後を示している。
【図５】コンクリートブロックの側面から見た状態の垂直部における型枠の一実施形態を示す概要図である。
【図６】コンクリートブロックの側面から見た状態の傾斜部における型枠の一実施形態を示す概要図である。
【符号の説明】
【００４６】
１  コンクリートブロック
２  側壁
２ａ  垂直部
２ｂ  傾斜部
３  止水板
１０  止水板用スライドフォーム
１１  型枠
１２  支持フレーム
１３  ダミーボルト
１４  シーボルト
１５  アンカー部材
【図１】
2009209613.tif 000003
【図２】
2009209613.tif 000004
【図３】
2009209613.tif 000005
【図４】
2009209613.tif 000006
【図５】
2009209613.tif 000007
【図６】
2009209613.tif 000008